(57)【特許請求の範囲】
【請求項１】
前枠部、後枠部、前記前枠部と前記後枠部の両端に連結された第１枠部、第２枠部にて四角枠状に形成された刃台であって、前記前枠部と前記後枠部間には複数の連結部が架設された刃台に対して、支持板と該支持板の上部が前方に屈曲された刃体取付片とを有する複数の刃体支持体が前記前枠部、前記後枠部、前記第１枠部、前記第２枠部にそれぞれ設けられた複数の突起の間の溝に前記支持板にて差し込まれるとともにキャップ部材が被せられ、
前記刃体取付片の下面には刃体が固定され、
前記連結部のうち、前記第１枠部、及び第２枠部にそれぞれ最も近くに隣接する連結部には、前記刃体の下面に弾性的に当接するアームが突出され、
前記刃体の刃先前方には、ガード部材が配置され、前記刃体の後方に前記キャップ部材の後部が配置され、
前記刃体取付片の上面に、直前の刃体の刃先と直後の刃体の刃先の間への皮膚の入り込みを抑制する皮膚係合部が設けられ、
前記刃先と前記皮膚係合部が、前記ガード部材上面と前記キャップ部材の後部上面を結ぶひげ剃り接線上又はひげ剃り接線の近位に位置するように配置されていることを特徴とする安全剃刀。
【請求項２】
前記刃体の刃先は、前記皮膚係合部よりも前方に位置するとともに前記皮膚係合部は左右方向に凹凸が交互に並ぶように形成されていることを特徴とする請求項１に記載の安全剃刀。
【請求項３】
前記刃体及び前記刃体支持体は鉄製であり、
前記刃体は、前記刃体支持体の刃体取付片下面に対して、スポット溶接されていることを特徴とする請求項１又は請求項２に記載の安全剃刀。
【発明の詳細な説明】
【技術分野】
【０００１】
本発明は、安全剃刀に関する。
【背景技術】
【０００２】
安全剃刀は、刃体の刃先の前方にガード部材が配置されるとともに、刃先の後方にキャップ部材が配置されており、そのガード部材とキャップ部材の頂点を結んだひげ剃り接線上に前記刃体の刃先が臨むように配置されている。ひげ剃り時には、ひげ剃り接線上に位置する刃体の刃先により、カンナの原理でひげを剃ることができるとともに、ガード部材が刃先の直前の皮膚を伸長するため、刃先が皮膚に食い込むことなく安全にひげ剃りを行うことができる。
【０００３】
ところで、人間の皮膚は柔らかく弾力性に富むため、仮にガード部材とキャップ部材との間隔が広すぎる場合は、皮膚がひげ剃り接線より内部方向に入り込みやすくなり、そのため刃先で切り傷を負いやすくなる。
【０００４】
このため、特許文献１、特許文献２で提案されている二枚刃安全剃刀は、第１刃（前刃）と第２刃（後刃）の間に皮膚係合部材（特許文献１，２では挟着部で説明されている）が設けられている。この皮膚係合部材により、ひげ剃り時に皮膚がひげ剃り接線より内部方向に入り込むことが防止できるようにしている。
【０００５】
また、特許文献３、及び特許文献４に開示されている複数枚を有する安全剃刀では、刃体間に刃体間隔を保持するためのスペーサが配置され、該スペーサの櫛歯が刃体間から前方に突出するように設けられている。そして、該櫛歯の上面には上向きの突起が形成されて、該突起により、刃先と皮膚との接触を部分的に防止できるようにしている。
【０００６】
特許文献５で開示されている安全剃刀では、ブレード支持構造体の屈曲した上部に刃体を固定し、該刃体の上面にインターブレードガードを設けることにより、インターブレードガードの皮膚係合面が、ひげ剃り時に皮膚に当接して、インターブレードガードと、該インターブレードガードの後方の刃体の刃先間に皮膚が入り込むことを防止するようにしている。
【０００７】
特許文献６及び特許文献７は、本明細書の出願時の技術水準を示すためのものである。特許文献６には、刃体支持部（本明細書の刃体支持体に相当）の上面に刃体をのせてスポット溶接が行われていることが開示されている。特許文献７には、ひげかす排除板の前縁に交互に凹凸が形成されている構成が開示されている。
【先行技術文献】
【特許文献】
【０００８】
【特許文献１】実開平４−２５６６４号公報
【特許文献２】実開平４−３６９７２号公報
【特許文献３】特開平９−１３５９７２号公報
【特許文献４】特表２００６−５１６４６４号公報
【特許文献５】特表２００８−５４３３７４号公報
【特許文献６】特開２００７−２１５５９１号公報
【特許文献７】実開昭６０−１１６９８６号公報
【発明の概要】
【発明が解決しようとする課題】
【０００９】
ところが、特許文献１及び特許文献２の皮膚係合部材（挟着部）は、安全剃刀の幅方向（すなわち、刃先を前とする前後方向）への寸法が長くなり、ひげ剃り時に小回りのきかないものとなるとともに、係合部材の部品が増加する問題がある。
【００１０】
又、特許文献３及び特許文献４は、突起により刃先と皮膚との接触を部分的に防止できるようにしているが、この突起が刃縁の直前で立ち上がっているため、突起が直前に存在する刃縁部分ではひげ剃りができないことになる。
【００１１】
特許文献５は、インターブレードガード専用の部品を新たに設ける必要があることから部品点数が増えるとともに、組み付け工数が増加し、コスト高となる問題がある。
本発明の目的は、ひげ剃り接線から内部方向に皮膚の入り込みを抑制できるとともに、刃縁にひげ剃りができない部分をなくすことができ、さらに部品点数及び組み付け工数を増やすことがない安全剃刀を提供することにある。
【課題を解決するための手段】
【００１２】
上記問題を解決するために請求項１に記載の発明は、前枠部、後枠部、前記前枠部と前記後枠部の両端に連結された第１枠部、第２枠部にて四角枠状に形成された刃台であって、前記前枠部と前記後枠部間には複数の連結部が架設された刃台に対して、支持板と該支持板の上部が前方に屈曲された刃体取付片とを有する複数の刃体支持体が前記前枠部、前記後枠部、前記第１枠部、前記第２枠部にそれぞれ設けられた複数の突起の間の溝に前記支持板にて差し込まれるとともにキャップ部材が被せられ、前記刃体取付片の下面には刃体が固定され、前記連結部のうち、前記第１枠部、及び第２枠部にそれぞれ最も近くに隣接する連結部には、前記刃体の下面に弾性的に当接するアームが突出され、前記刃体の刃先前方には、ガード部材が配置され、前記刃体の後方に前記キャップ部材の後部が配置され、前記刃体取付片の上面に、直前の刃体の刃先と直後の刃体の刃先の間への皮膚の入り込みを抑制する皮膚係合部が設けられ、前記刃先と前記皮膚係合部が、前記ガード部材上面と前記キャップ部材の後部上面を結ぶひげ剃り接線上又はひげ剃り接線の近位に位置するように配置されていることを特徴とする安全剃刀を要旨としている。
【００１３】
請求項２の発明は、請求項１において、前記刃体の刃先は、前記皮膚係合部よりも前方に位置するとともに前記皮膚係合部は左右方向に凹凸が交互に並ぶように形成されていることを特徴とする。
【００１４】
請求項３の発明は、請求項１又は請求項２において、前記刃体及び前記刃体支持体は鉄製であり、前記刃体は、前記刃体支持体の刃体取付片下面に対して、スポット溶接されていることを特徴とする。
【発明の効果】
【００１５】
請求項１の発明によれば、ひげ剃り接線から内部方向に皮膚の入り込みを抑制できるとともに、刃縁にひげ剃りができない部分をなくすことができ、さらに部品点数及び組み付け工数を増やすことがない。すなわち、ガード部材とキャップ部材の後部とを結ぶひげ剃り接線上又はひげ剃り接線の近位に位置するように刃先と皮膚係合部が位置するため、皮膚の入り込みを抑制できて安全性が増大するとともに、肌当たりが優しくなる。
【００１６】
また、従来技術と異なり、刃体の上面及び刃先の後方にインターブレードガードを設ける必要がないとともに部品点数及び組み付け工数を増やすことがなくコスト低減を図ることができる。
【００１７】
また、刃体支持体に対して前方へ屈曲された刃体取付片下面に刃体が固定されているため、刃体の強度アップを行うことができる。特に、ひげは、同径の黄銅線と同じ硬度があり、ひげ剃り時に、刃体には刃先の前方から後方へひげ剃り抵抗がかかるため、仮に刃体が刃体取付片の表面（上面）に設けられている場合は、刃体がめくれ上がる方向へ力が加わり、刃先がびびることがある。しかし、本発明によれば、ひげ剃り時にひげ剃りの抵抗に応じて下方へ移動する場合においても刃体が刃体取付片下面に設けられているため、そのようなことがなく刃先のびびりを抑制できる。
【００１８】
請求項２の発明によれば、皮膚係合部には皮膚に係合しない凹部が設けられるため、刃体、特に刃先の目視による識別が容易となる。すなわち、刃先の位置をしっかり認識できることになり、安全剃刀を肌に当てる際の安全性を担保することができる。
【００１９】
請求項３の発明によれば、スポット溶接により、刃体が刃体支持体の刃体取付片下面に取付けられているため、刃体と刃体支持体とを一体化して刃体の強度アップを図ることができるとともに、刃体のスポット溶接痕が、刃体上方（すなわち、皮膚係合部側）から見えにくくすることができる。
【図面の簡単な説明】
【００２０】
【図１】本発明を具体化した一実施形態の安全剃刀の表側から見た全体斜視図。
【図２】安全剃刀の裏面側から見た全体斜視図。
【図３】安全剃刀の分解斜視図。
【図４】図１の４−４線断面図。
【図５】図１の５−５線断面図。
【図６】図１の６−６線断面図。
【図７】剃刀刃と刃体支持体の分解斜視図。
【図８】他の実施形態の図６に相当する断面図。
【発明を実施するための形態】
【００２１】
（実施形態の構成）
以下、本発明の安全剃刀を具体化した一実施形態を図１〜７を参照して説明する。
なお、本明細書において、安全剃刀において、前とは刃体の刃先が向く方向をいい、後はその１８０度反対方向をいう。又、左右は、安全剃刀１０の前部に人が向かったときを基準にして左右という。
【００２２】
まず、安全剃刀１０の概略を説明する。図１及び図３に示すように、安全剃刀１０は、刃台２０と、刃台２０に取付けられた複数の刃体支持体３０と、各刃体支持体３０の上部に対して前方へ屈曲された刃体取付片３４の下面に固定された複数の剃刀刃（第１剃刀刃４０、第２剃刀刃５０及び第３剃刀刃６０）と、刃台２０の前部に取付けられたガード部材としての安全ガード７０と、刃台２０に対して取付けられたキャップ部材８０を主要な部材として構成されている。
【００２３】
図３に示すように刃台２０は合成樹脂からなり、前枠部２１、後枠部２２及び前枠部２１と後枠部２２の前後両端を連結した左枠部２３、及び右枠部２４により四角枠状に形成されている。左枠部２３は第１枠部に相当し、右枠部２４は第２枠部に相当する。刃台２０は、図示しないホルダに装着可能である。また、図２、図３に示すように前枠部２１と後枠部２２間には、複数の連結部２５が架設されている。本実施形態では、連結部２５の数は４個としているが、４個に限定されるものではなく、他の数であってもよい。
【００２４】
図３、図４に示すように左枠部２３の内側面には、有底の凹部２３ａが形成されている。また、図３に示すように、右枠部２４の内側部には、前記凹部２３ａと相対するように有底の凹部２４ａが形成されている。
【００２５】
前記凹部２３ａ，２４ａの底部及び左枠部２３，右枠部２４の側壁からは前後方向に並ぶようにして、上方に突出する４つの突起２３ｂ，２４ｂが形成されている。また、各連結部２５の上面、前枠部２１及び後枠部２２には、前後方向に並ぶようにして、上方に突出する４つの突起２５ｂが形成されている。
【００２６】
突起２３ｂ間、突起２４ｂ間、及び突起２５ｂ間には、それぞれ前方から順に第１取付溝ｐ、第２取付溝ｑ、及び第３取付溝ｒが設けられている。突起２３ｂ間、突起２４ｂ間、及び突起２５ｂ間に設けられた第１取付溝ｐは、同一平面上に並ぶように配置されている。突起２３ｂ間、突起２４ｂ間、及び突起２５ｂ間に設けられた第２取付溝ｑは、第１取付溝ｐと平行になるように同一平面上に並ぶように配置されている。また、突起２３ｂ間、突起２４ｂ間、及び突起２５ｂ間に設けられた第３取付溝ｒは、第１取付溝ｐと平行になるように同一平面上に並ぶように配置されている。
【００２７】
第１取付溝ｐ、第２取付溝ｑ及び第３取付溝ｒには、それぞれ刃体支持体３０が平行に取り付けられている。各取付溝に取り付けられた刃体支持体３０は、同じ構成であるとともに、同様に取付溝に対して保持されている。このため、第１取付溝ｐに取り付けられた刃体支持体３０について説明し、他の取付溝に取り付けられた刃体支持体３０の構成については同一符号を付す。
【００２８】
刃体支持体３０は、鉄製であって、左右方向に延びる支持板３２と、支持板３２の上部が前方に屈曲された刃体取付片３４により形成されている。本実施形態では、支持板３２に対して刃体取付片３４の屈曲角度は弱９０度にしているが、支持板３２に対する刃体取付片３４の前方への屈曲角度は限定されるものではない。
【００２９】
支持板３２は、突起２３ｂ間、突起２４ｂ間及び突起２５ｂの各第１取付溝ｐに対して差し込まれている。
【００３０】
また、刃体取付片３４の下面に対して、刃体としての第１剃刀刃４０が固定されている。本実施形態では、第１剃刀刃４０は、薄いステンレス板からなり、刃体取付片３４に対して下面からのレーザスポット溶接により固定されている。なお、刃体支持体３０は、鉄製に限定されず、プラスチック或いは非鉄金属であってもよい。この場合は、第１剃刀刃４０は接着剤により刃体取付片３４に対して固定される。
【００３１】
図７に示すように、刃体取付片３４の左右方向（長手方向）に延在する前縁は、第１剃刀刃４０の刃先が前方に位置するように後方に配置されるとともに、凹部３７及び凸部３８が交互に形成されている。また、凹部３７と凸部３８の上部は面取りがされて、皮膚係合部３９として形成されている。
【００３２】
また、刃体取付片３４の左右両端は、図３、図７に示すように、凹部３７と凸部３８が設けられた前縁部よりも前方に突出された突出部３６が設けられている。突出部３６は、図４に示すように、第１剃刀刃４０の刃先と略一致する位置まで、すなわち、刃先を覆う位置まで延びている。
【００３３】
また、第２取付溝ｑ及び第３取付溝ｒに対して取付られたそれぞれ刃体支持体３０も第１取付溝ｐに取り付けられた刃体支持体３０と同様の構成を有するとともに、それぞれの刃体支持体３０の刃体取付片３４の下面には、第１剃刀刃４０と同様に刃体としての第２剃刀刃５０及び第３剃刀刃６０が刃先が相互に平行になるように配置固定されている。
【００３４】
図２、図３に示すように、最も左側に位置する連結部２５において、各突起２５ｂが突出した部位の左側面からは、上下動可能に弾性を有するアーム２７ａが左方に向かってかつ斜め上方に突出され、前記第１剃刀刃４０、第２剃刀刃５０及び第３剃刀刃６０の左端部側の下面に弾性的に当接されている。
【００３５】
また、図２、図３に示すように、最も右側に位置する連結部２５において、各突起２５ｂが突出した部位の右側面からは、上下動可能に弾性を有するアーム２７ｂが右方に向かってかつ斜め上方に突出され、前記第１剃刀刃４０、第２剃刀刃５０及び第３剃刀刃６０の右端部側の下面に弾性的に当接されている。
【００３６】
これらのアーム２７ａ，２７ｂにより、ひげ剃り時に、第１剃刀刃４０、第２剃刀刃５０及び第３剃刀刃６０がひげ剃りの抵抗に応じて下方へ移動して皮膚の損傷防止となり滑らかな剃り心地に寄与する。なお、アーム２７ａ，２７ｂは、前述のように第１剃刀刃４０、第２剃刀刃５０及び第３剃刀刃６０の左端部及び右端部側の下面に弾性的に当接されていることから、この下方への移動はアーム２７ａ，２７ｂの弾性力に抗して行われる。
【００３７】
キャップ部材８０は、合成樹脂からなり、前枠８１、後枠８２、左枠８３及び右枠８４により、四角枠状に形成されている。
前枠８１は、図５、図６に示すように前枠部２１の上面に重なるように取り付けられるとともに、図３に示すように左右に一対の取付片８１ａ，８１ｂが下方に突出されて、前枠部２１に形成された一対の係合孔２１ａ，２１ｂに挿入されている。取付片８１ａ，８１ｂの下部には、図３に示すように爪８１ｃが形成されて、図２に示すように係合孔２１ａ，２１ｂの下縁に掛け止めされている。
【００３８】
図３〜図６に示すように前枠部２１の上面には、左右方向に延びる凹溝２１ｄが形成されている。凹溝２１ｄ内には、安全ガード７０の下部が係入されている。安全ガード７０は、前枠８１内側面と前枠部２１外側面間に挟着されている。
【００３９】
安全ガード７０の上部の上面には、左右方向に延びて互いに平行に配置された複数の突条７２が形成されている。安全ガード７０は、軟質樹脂、特にエラストマ樹脂で成形されるのが好ましく、複数の突条７２は剃刀刃の前方で皮膚を引き伸ばし、毛を引き起こす引っ張り力をもたらす。
【００４０】
後枠８２は、図５、図６に示すように後枠部２２の上面に重なるように取り付けられている。後枠８２の上面には、左右方向に延びた収納凹部８２ａが凹設されるとともに、図３に示すように収納凹部８２ａの底部には左右方向に並ぶように複数個の係合孔８５が透設されている。そして、後枠部２２上面から突出された複数の係止爪２２ａが図５に示すように挿通されて係合孔８５の上縁に掛け止められることにより、後枠８２が後枠部２２に対して保持されている。また、収納凹部８２ａ内には、左右方向に延びるスムーサ９０が収納されて固定されている。
【００４１】
左枠８３の下面は、図４に示すように、複数の段部８３ａ、８３ｂ，８３ｃが形成されて、前記アーム２７ａ，２７ｂにより弾性的に当接された第１剃刀刃４０、第２剃刀刃５０及び第３剃刀刃６０を支持する刃体支持体３０の左端側の突出部３６に対して押圧するように当接されている。また、図示はしないが、右枠８４の下面には、同様に複数の段部が形成され、各段部が前記アーム２７ａ，２７ｂにより弾性的に当接された第１剃刀刃４０、第２剃刀刃５０及び第３剃刀刃６０を支持する刃体支持体３０の右端側の突出部３６に対して押圧するように当接されている。
【００４２】
また、本実施形態では、図５に示すように、安全ガード７０の突条７２上面と、後枠８２（すなわち、キャップ部材８０の後部）の上面を結ぶ線を基準としてひげ剃り接線Ｓが規定されている。
【００４３】
このひげ剃り接線Ｓ上、又はひげ剃り接線Ｓの近位（例えば、ひげ剃り接線から±１ｍｍ以内）の位置に、前記第１剃刀刃４０、第２剃刀刃５０及び第３剃刀刃６０の刃先が位置するとともに、刃体取付片３４の皮膚係合部３９が位置するように設定されている。なお、ひげ剃り接線Ｓに近位とは、ひげ剃り接線Ｓから±１ｍｍ以内に限定するものではなく、異なる数値であってもよい。ひげ剃り接線Ｓから上方に刃先、皮膚係合部が突出してもひげ剃りが可能な範囲、或いはひげ剃り接線Ｓから下方に位置してもひげ剃りが可能な範囲を含む趣旨である。ひげ剃り接線上、或いは近位の位置に刃先、皮膚係合部を位置させることにより、安全剃刀のコンセプトを異ならしめることができるため、髭剃りが可能な範囲であれば、上記数値は限定されるものではない。
【００４４】
また、上記のように平行に配置された第１剃刀刃４０、第２剃刀刃５０及び第３剃刀刃６０間では、前方に位置する刃体支持体３０と後方に位置する刃体の刃先間にひげカス排出通路１００の開口（入口）が形成されている。本実施形態では前記開口の左右方向の長さは、左枠８３及び右枠８４間の長さと一致させているが、限定するものではない。
【００４５】
図５に示すように、ひげカス排出通路１００は、前方に位置する第１剃刀刃４０を支持する刃体支持体３０と後方に位置する第２剃刀刃５０を支持する刃体支持体３０間、及び前方に位置する第２剃刀刃５０を支持する刃体支持体３０と後方に位置する第３剃刀刃６０を支持する刃体支持体３０間に設けられている。
【００４６】
両ひげカス排出通路１００は、同じであるため、前方に位置する第１剃刀刃４０を支持する刃体支持体３０と後方に位置する第２剃刀刃５０を支持する刃体支持体３０間のひげカス排出通路１００を具体的に説明する。
【００４７】
ひげカス排出通路１００は、前方に位置する刃体支持体３０と後方に位置する刃体支持体３０の刃先間に前記開口を有するとともに、前記前方に位置して第１剃刀刃４０を支持する刃体支持体３０と後方に位置する第２剃刀刃５０（刃体）間、並びに前記前方に位置して第１剃刀刃４０を支持する刃体支持体３０の後面と後方に位置する第２剃刀刃５０を支持する刃体支持体３０の前面間で区切られる空間により構成されている。ひげカス排出通路１００の後端は、図５に示すように刃台２０の下方空間に連通している。
【００４８】
また、図５に示すように、安全ガード７０の後部上部側面７０ａ及び前枠部２１の後面２１ｃと、第１剃刀刃４０下面及び刃体支持体３０前面間をひげカス排出通路１１０とし、第１剃刀刃４０の刃先と安全ガード７０の最後部の突条７２間をその開口としている。
【００４９】
安全ガード７０の最後部の突条７２と第１剃刀刃４０の刃先間の開口、第１剃刀刃４０の刃体支持体３０と第２剃刀刃５０の刃先間の開口、及び第２剃刀刃５０の刃体支持体３０と第３剃刀刃６０の刃先間の開口は、前後方向長さが同一又は略同じ長さを有するように設定されている。すなわち、ひげカス排出通路１００及びひげカス排出通路１１０の開口は前後方向長さが同一又は略同じ長さを有するように、かつ、ひげ剃り時に、刃先に当たった皮膚が隆起して開口内に大きく入らないような大きさに設定されている。このことによって、開口内に入った隆起した皮膚に対する刃先の当接角度が、ひげ剃りを阻害しない浅い角度となるようにしている。
【００５０】
（実施形態の作用）
次に上記のように構成した安全剃刀１０の作用について説明する。
安全剃刀１０は、刃台２０に対して、複数の刃体支持体３０が支持されるとともにキャップ部材８０が被せられ、各刃体支持体３０の上部に対して前方へ屈曲された刃体取付片３４が設けられて、各刃体取付片３４の下面に第１剃刀刃４０、第２剃刀刃５０及び第３剃刀刃６０がそれぞれ固定されている。さらに、刃体支持体３０の刃先前方には、安全ガード７０が配置され、第１剃刀刃４０、第２剃刀刃５０、第３剃刀刃６０の後方にキャップ部材８０の後部が配置されている。また、各刃体取付片３４の上面に皮膚係合部３９が設けられて、刃先と皮膚係合部３９が、安全ガード７０上面とキャップ部材８０の後部上面を結ぶひげ剃り接線上又はひげ剃り接線の近位に位置するように配置されている。このため、安全剃刀１０は、皮膚係合部３９によりひげ剃り接線Ｓから内部方向、すなわち、ひげカス排出通路１００内に皮膚の入り込みを抑制できる。
【００５１】
また、ひげを剃る場合、第１剃刀刃４０、第２剃刀刃５０及び第３剃刀刃６０の刃先によって剃られた皮脂を含むひげカスは図５に示すひげカス排出通路１１０，１００の開口を介して、ひげカス排出通路１１０、１００内に入り、下方へ流される。
【００５２】
また、本実施形態では、刃体取付片３４の前縁に皮膚係合部３９の凹部３７及び凸部３８が交互に並ぶように形成されている。そして、凹部３７が複数設けられているため、刃先との目視による識別が容易となる。すなわち、刃先の位置をしっかり認識できることになり、安全剃刀を肌に当てる際の安全性が担保される。
【００５３】
さらに、第１剃刀刃４０、第２剃刀刃５０、及び第３剃刀刃６０は刃体取付片３４の下面に対して、刃体側からレーザスポット溶接により固定されているため、刃体からのスポット溶接の跡が、刃体上方（すなわち、皮膚係合部側）からは見えに難いものとなる。
【００５４】
さらに、刃体取付片３４の前縁に交互に凹部３７、凸部３８が形成されているため、ひげ剃り時の皮膚の横方向（刃体の長さ方向）への抵抗が増え、安全剃刀１０のひげ剃り方向とは交差する方向である横方向のすべり、すなわち、横すべりを防止する。
【００５５】
さて、本実施形態によれば、以下のような効果を得ることができる。
（１）  本実施形態の安全剃刀１０は、前枠部２１、後枠部２２、前枠部２１と後枠部２２の両端に連結された左枠部２３、右枠部２４にて四角枠状に形成された刃台であって、前枠部２１と後枠部２２間には複数の連結部２５が架設された刃台２０に対して、支持板と該支持板の上部が前方に屈曲された刃体取付片３４とを有する複数の刃体支持体３０が前記前枠部、前記後枠部、左枠部２３、右枠部２４にそれぞれ設けられた複数の突起の間の溝に対して支持板にて差し込まれるとともにキャップ部材８０が被せられている。また、各刃体取付片３４の下面に第１剃刀刃４０、第２剃刀刃５０及び第３剃刀刃６０が固定されている。
また、前記連結部のうち、前記第１枠部、及び第２枠部にそれぞれ最も近くに隣接する連結部には、第１剃刀刃４０、第２剃刀刃５０及び第３剃刀刃６０（刃体）の下面に弾性的に当接するアーム２７ａ，２７ｂが突出されている。
また、刃体支持体３０の刃先前方には、安全ガード７０（ガード部材）が配置され、第１剃刀刃４０、第２剃刀刃５０、第３剃刀刃６０（刃体）の後方にキャップ部材８０の後部が配置されている。また、各刃体取付片３４の上面に、直前の刃体の刃先と直後の刃体の刃先の間への皮膚の入り込みを抑制する皮膚係合部３９が設けられて、刃先と皮膚係合部３９が、安全ガード７０（ガード部材）上面とキャップ部材８０の後部上面を結ぶひげ剃り接線Ｓ又はひげ剃り接線Ｓの近位に位置するように配置されている。
【００５６】
この結果、本実施形態の安全剃刀１０は、ひげ剃り接線Ｓから内部方向、すなわち、皮膚係合部３９により、該皮膚係合部３９の直前の刃体の刃先と直後の刃体の刃先の間への皮膚の入り込みを抑制することができる。
また、アーム２７ａ，２７ｂにより、ひげ剃り時に、第１剃刀刃４０、第２剃刀刃５０及び第３剃刀刃６０が刃体支持体３０とともにひげ剃りの抵抗に応じて下方へ移動して皮膚の損傷防止となり滑らかな剃り心地に寄与することができる。
【００５７】
また、特許文献３及び特許文献４と異なり、突起により刃先と皮膚との接触を部分的に防止する構成を有しないため、刃縁にひげ剃りができない部分をなくすことができ、さらに部品点数及び組み付け工数を増やすことがない。すなわち、安全ガード７０（ガード部材）とキャップ部材８０の後部とを結ぶひげ剃り接線Ｓ又はひげ剃り接線の近位に刃先と皮膚係合部３９が位置するため、皮膚の入り込みを抑制できて安全性が増大するとともに、肌当たりが優しくなる。
【００５８】
また、特許文献５と異なり、第１剃刀刃４０、第２剃刀刃５０、第３剃刀刃６０（刃体）の上面及び刃先の後方にインターブレードガードを設ける必要がなく、部品点数及び組み付け工数を減らすことができコスト低減を図ることができる。
【００５９】
また、刃体支持体３０に対して前方へ屈曲された刃体取付片３４下面に第１剃刀刃４０、第２剃刀刃５０、及び第３剃刀刃６０が固定されているため、これらの第１剃刀刃４０、第２剃刀刃５０、及び第３剃刀刃６０の強度アップを行うことができる。特に、ひげは、同径の黄銅線と同じ硬度があり、ひげ剃り時に、刃体には刃先の前方から後方へひげ剃り抵抗がかかるため、仮に第１剃刀刃４０、第２剃刀刃５０、第３剃刀刃６０が刃体取付片３４の表面（上面）に設けられている場合は、これらがめくれ上がる方向へ力が加わり、刃先がびびることがあるが、本実施形態によれば、第１剃刀刃４０、第２剃刀刃５０、第３剃刀刃６０が刃体取付片３４下面に設けられているため、そのようなことがなく刃先のびびりを抑制できる。
【００６０】
（２）  本実施形態の安全剃刀１０は、刃体支持体３０が複数個前後に位置するように平行に配置され、前方に位置する刃体支持体３０と後方に位置する刃体支持体３０の刃先間に開口するとともに、前記前方に位置する刃体支持体３０と後方に位置する刃体支持体３０間で区切られる空間を、ひげカス排出通路１００とする。この結果、本実施形態によれば、ひげ剃り時のひげカスを、前方に位置する刃体支持体３０と後方に位置する刃先間の開口から、前方の刃体支持体３０の背面に沿わせてひげカス排出通路１００へ好適にひげカスを排除することができる。
【００６１】
（３）  本実施形態の安全剃刀１０は、第１剃刀刃４０、第２剃刀刃５０、及び第３剃刀刃６０（刃体）の刃先は、皮膚係合部３９よりも前方に位置するとともに左右方向に凹凸が交互に並ぶように形成されて皮膚に係合しない凹部が設けられるため、刃体、特に刃先の目視による識別が容易となる。すなわち、刃先の位置を、鏡を介してひげを剃る人が刃先の位置をしっかり認識できることになり、安全剃刀を肌に当てる際の安全性を担保することができる。
【００６２】
（４）  本実施形態の安全剃刀１０は、第１剃刀刃４０、第２剃刀刃５０、及び第３剃刀刃６０（刃体）及び刃体支持体３０は金属製であり、第１剃刀刃４０、第２剃刀刃５０、及び第３剃刀刃６０は、刃体支持体３０の刃体取付片３４下面に対して、レーザスポット溶接されている。このため、レーザスポット溶接により、第１剃刀刃４０、第２剃刀刃５０、及び第３剃刀刃６０（刃体）が刃体支持体３０の刃体取付片３４下面に取り付けられているため、刃体と刃体支持体とを一体化して刃体の強度アップを図ることができるとともに、刃体のスポット溶接痕を、刃体上方（すなわち、皮膚係合部側）からは見えにくくすることができる。
【００６３】
例えば、刃体の厚みを０．１ｍｍとし、刃体支持体３０の刃体取付片３４の厚みを０．３ｍｍとした場合、溶接痕は見えない程度のものとなる。
なお、特許文献６では、刃体支持部（本明細書の刃体支持体に相当）の上面に刃体をのせてスポット溶接が行われた場合、溶接痕は上面から見えてしまう。
【００６４】
なお、前記実施形態は以下のように変更してもよい。
・  前記実施形態では、３枚刃の安全剃刀に具体化したが、例えば、前記実施形態の構成中、第３剃刀刃６０等を省略して２枚刃の安全剃刀に具体化してもよく、さらに、第２剃刀刃５０を省略して一枚刃の安全剃刀に具体化してもよい。
【００６５】
・  前記実施形態では、３枚刃の安全剃刀に具体化したが、剃刀刃の枚数を増やして、４枚刃、５枚刃、或いはこれを超える枚数の安全剃刀としてもよい。
・  前記実施形態では、第１剃刀刃４０、第２剃刀刃５０、及び第３剃刀刃６０は、ステンレス製からなり、刃体取付片３４に対して下面からのレーザスポット溶接により固定されていたが、他のスポット溶接、或いは、接着剤による固定、或いは機械的な取付固定であってもよい。
【００６６】
・  前記実施形態では、刃体取付片３４の前縁に凹部３７，凸部３８を交互に設けたが、凹部３７及び凸部３８を省略して、刃体取付片３４の前縁を左右方向に延びるように直線状に形成してもよい。
【００６７】
・  前記各実施形態の構成において、刃体取付片３４の前部の上面に左右方向に延出した突部としての突条３１を図８に示すように形成し、この突条３１を皮膚係合部とするようにしてもよい。なお、突条３１の代わりに、断続的に左右方向に並ぶように複数の突起を突部として形成してもよい。このように構成すれば、皮膚係合部を、刃体取付片３４から上方へ突出する突条３１（突部）により構成することによっても、上記各実施形態に記載の効果を容易に実現できる。
【００６８】
次に、上記のように説明した各実施形態の中から把握できる技術的思想を下記に記述する。
（１）  請求項１乃至請求項３のうちいずれか１項の安全剃刀において、前記刃体支持体が複数個前後に位置するように平行に配置され、前方に位置する刃体支持体の皮膚係合部と後方に位置する刃体の刃先間に開口するとともに、前記前方に位置する刃体支持体と後方に位置する刃体、並びに前記前方に位置する刃体支持体と後方に位置する刃体支持体間で区切られる空間を、ひげカス排出通路とすることを特徴とする安全剃刀。上記のように構成すると、前方に位置する刃体支持体の皮膚係合部と後方に位置する刃体の刃先間に開口するとともに、前記前方に位置する刃体支持体と後方に位置する刃体、並びに前記前方に位置する刃体支持体と後方に位置する刃体支持体間で区切られる空間を、ひげカス排出通路としているため、ひげ剃り時のひげカスを、前方に位置する皮膚係合部と後方に位置する刃先間から、該皮膚係合部に沿わせてひげカス排出通路へ好適にひげカスを排除することができる。
【００６９】
（２）  請求項１乃至請求項３のうちいずれか１項又は上記（１）において、前記皮膚係合部を、前記刃体支持体の刃体取付片から上方へ突出する突部により構成したことを特徴とする安全剃刀。上記のように構成すると、皮膚係合部を、前記刃体取付片から上方へ突出する突部によっても、請求項１乃至請求項３又は上記（１）のいずれかに記載の効果を容易に実現できる。
【符号の説明】
【００７０】
１０…安全剃刀、２０…刃台、３０…刃体支持体、３１…突条（突部）、
３４…刃体取付片、３９…皮膚係合部、４０…第１剃刀刃（刃体）、
５０…第２剃刀刃（刃体）、６０…第３剃刀刃（刃体）、
７０…安全ガード（ガード部材）、８０…キャップ部材、９０…スムーサ、
１００…ひげカス排出通路、Ｓ…ひげ剃り接線。
【図１】
0005719755.tif 000002
【図２】
0005719755.tif 000003
【図３】
0005719755.tif 000004
【図４】
0005719755.tif 000005
【図５】
0005719755.tif 000006
【図６】
0005719755.tif 000007
【図７】
0005719755.tif 000008
【図８】
0005719755.tif 000009